(57)【特許請求の範囲】
【請求項１】
イヤホーンのスピーカ部を形成するマグネット部と、
このマグネット部を片面側に支持しこの周囲に形成された環状の平坦部を有する支持板と、
ボイスコイルを有し、前記マグネット部の前面側にこれと間隔を置いてこれを覆うように前記支持板に支持され前記スピーカ部を形成する振動膜と、
前記振動膜の配置されない側を背面側として前記支持板に被せられたキャップ部を有する背面ケースと、
貫通する複数の音通孔を有し前記振動膜を覆うように前記支持板に被せられた前面ケースと、
を具備し、
前記背面ケースは、前記キャップ部から先端にかけて前記支持板の平坦部とほぼ等形状で前記平坦部に当接する環状の平坦状フランジ部を有し、このフランジ部を介して前記前面ケースに直接又は間接的に連結されてなることを特徴とするイヤホーン。
【請求項２】
前記マグネット部の付根にて前記支持板に通気孔が貫通形成され、前記支持板の背面側に塞板が配置され、この塞板が僅かな間隔を置いて前記通気孔に重ねられてなる請求項１記載のイヤホーン。
【請求項３】
前記前面ケースは、前記スピーカ部の中心軸から一方の端に寄った領域を他の領域よりも前記中心軸方向に膨出させた膨出部を有する請求項１又は２記載のイヤホーン。
【請求項４】
前記前面ケースは、前記膨出部にあってより膨出させた領域において、突出先端に前記音通孔を有する外耳道挿入用の突出部を突出させてなる請求項３項記載のイヤホーン。
【発明の詳細な説明】
【０００１】
【発明の属する技術分野】
本発明は音楽再生用又は通信用のイヤホーンに係り、特に、耳孔介腔内にはめて例えばミニヘッドホーンとして使用されるインナータイプのイヤホーンの改良に関する。
【０００２】
【従来の技術】
従来、この種のイヤホーンとしては、図１０に示すような構成が知られている。
すなわち、円板状の支持板１のほぼ中央部に円柱状の凹部３を形成し、この凹部３内に円柱状のマグネット部５および円板状のポールピース７を共軸的に積層して遊びをもって固定し、支持板１の周縁部に設けた立上部１ａに振動膜９を固定して凹部３やポールピース７を覆い、マグネット部５やポールピース７と凹部３内壁間にボイスコイル１１を遊挿した状態でこれを振動膜９に支持させ、凹部３の外底部に回路基板１３を固定する一方、ボイスコイル１１から延びるリード線１１ａを支持板１の立上部１ａ外周から対面側（背面側）へ導出し、支持板１にあって凹部３外周に形成された平坦部１ｂを経てそのリード線１１ａを回路基板１３に接続する一方、それら凹部３や回路基板１３を覆うようにして背面ケース１５を被せて支持板１の周縁部に当接させ、複数の音通孔１７を有する偏平な前面ケース１９を、振動膜９を覆うように支持板１の外周および背面ケース１５の先端に被せて固定したものである。
【０００３】
しかも、イヤホーンの低域特性を保って広い周波数特性が得られるように、前面側としての振動膜９側と背面側としての背面ケース１５側とを連通する複数の通気孔２１を支持板１の平坦部１ｂに貫通形成するとともに、これら通気孔２１の背面側に音響空間が形成されるように、その背面ケース１５には半楕円珠状に湾曲膨出したカップ状のものを用いていた。
【０００４】
図１０中の符号２３は、振動膜９から回路基板１３へ導出するボイスコイル１１のリード線１１ａを支持板１の平坦部１ｂに固定して断線等を防止する接着剤であり、便宜上、図では通気孔２１と重ねて示しているが、実際には通気孔２１を塞がない箇所に接着剤２３が接着される。
【０００５】
さらに、ボイスコイル１１のリード線１１ａを回路基板１３へ半田付けする際に飛散したフラックスや半田屑が、通気孔２１を介して振動膜９に直接付着してその性能を低下させないよう、通気孔２１を図示しない通気性ネットで塞ぐことが行われる。
なお、回路基板１３は、録音再生機器や通信機器等の電子機器とを結ぶケーブル（図示せず）とボイスコイル１１のリード線１１ａを接続する中継端子板である。
【０００６】
このようなイヤホーンは、前面ケース１９が中央部分で前面側へごく僅かに湾曲膨出する一方、背面ケース１５が背面側へ半楕円珠状に大きく湾曲膨出する外形を有し、図１１に示すように、人の耳２５において対輪２５ａ、対珠２５ｂおよび耳珠２５ｃで囲むように形成される耳孔介腔２５ｄ内に、図１２のように外耳道２５ｅ側へ前面ケース１９を向けてはめ込まれ、主として対珠２５ｂおよび耳珠２５ｃで背面ケース１５を抑えるようにして使用される。図１１中符号２５ｆは耳輪である。
【０００７】
【発明が解決しようとする課題】
しかしながら、上述した従来のイヤホーンは、その背面ケース１５がこの開放先端近傍も半楕円珠状に湾曲しているから、それが耳孔介腔２５ｄにはめ込まれたとき、主に対珠２５ｂおよび耳珠２５ｃで背面ケース１５を抑えるようにして支持される一方、使用者によっては対珠２５ｂや耳珠２５ｃが背面ケース１５に押圧して圧迫感や痛みを感じる難点がある。
【０００８】
また、背面ケース１５の湾曲部が対珠２５ｂおよび耳珠２５ｃを常に押圧した状態となり易いことから、イヤホーンが耳２５から外れ易い。
さらにまた、上述したイヤホーンでは、支持板１にあって凹部３外周に形成された平坦部１ｂに通気孔２１を設けているから、ボイスコイル１１のリード線１１ａを回路基板１３へ半田付けする際に飛散したフラックスや半田屑が通気孔２１を介して振動膜９に付着しないよう、図示しない通気性ネットで通気孔２１を塞ぐ必要があり、部品点数や製造工数の増加を招くとともにコストダウンの障害となっていた。
【０００９】
他方、人の耳２５では、偏平なほぼ円板状空間の耳孔介腔２５ｄに対して、図１２に示すように、一般的に耳孔介腔２５ｄから外耳道２５ｅが人の頭部２７内側へ斜上方へ向って延びているから、イヤホーンにおいてマグネット部５、振動膜９およびボイスコイル１１等で形成するスピーカ部の中心軸Ｘが外耳道２５ｅの中心軸Ｙに対して角度や位置ともにずれ、スピーカ部（中心軸Ｘ）がその中心軸Ｙに対して大きく傾いて対向し、振動膜９からの音が中心軸Ｙに沿って放射され難く、「感度が低くなる。」、「高音が減衰する。」、「低音が減衰する。」といったように音響的特性を低下させ易い難点もある。
【００１０】
本発明はこのような従来の課題を解決するためになされたもので、耳への装着の快適性を改善するとともに耳からの脱落を軽減したイヤホーンの提供を目的とする。
また、本発明は、良好な音響的特性を確保しつつ、構成部品や製造工数の低減し、コストダウンを図ることが容易なイヤホーンの提供を目的とする。
【００１１】
【課題を解決するための手段】
そのような課題を解決するために本発明は、イヤホーンのスピーカ部を形成するマグネット部と、このマグネット部を片面側に支持しこの周囲に形成された環状の平坦部を有する支持板と、ボイスコイルを有しそのマグネット部の前面側にこれと間隔を置いてこれを覆うようその支持板に支持されスピーカ部を形成する振動膜と、この振動膜の配置されない側を背面側としてその支持板に被せられたキャップ部を有する背面ケースと、貫通する複数の音通孔を有しその振動膜を覆うようにその支持板に被せられた前面ケースとを具備し、その背面ケースは、上記キャップ部から先端にかけてその支持板の平坦部とほぼ等形状でその支持板の平坦部に当接する環状の平坦状フランジ部を有し、このフランジ部を介してその前面ケースに直接又は間接的に連結されている。
【００１２】
そして、本発明では、上記マグネット部の付根にてその支持板に通気孔が貫通形成され、その支持板の背面側に塞板が配置され、この塞板を僅かな間隔を置いてその通気孔に重ねた構成も可能である。
【００１３】
さらに、本発明では、上記前面ケースにおいて、スピーカ部の中心軸から一方の端に寄った領域を他の領域よりも中心軸方向に膨出させた膨出部を設けることが好ましい。
さらにまた、本発明では、その前面ケースの膨出部にあってより膨出させた領域から、突出先端に音通孔を有する外耳道挿入用の突出部を突出させる構成も可能である。
【００１４】
【発明の実施の形態】
以下本発明の実施の形態を図面を参照して説明する。
【００１５】
図１は本発明に係るイヤホーンの実施の形態例を示す断面図である。
図１において、支持板２９は、円板状薄鋼板のほぼ中央部を円柱状に凹陥するように屈曲形成した収納部としての凹部３１を突設するように有しており、ヨークプレート又はフレームとして機能するものである。
【００１６】
この凹部３１内には、積層された薄円柱状の着磁マグネット部３３および鉄製の円板状ポールピース３５が、凹部３１内周壁との間で所定の等間隔を置きマグネット部３３を凹部３１の内底に当接するようにして配置されている。
【００１７】
凹部３１底部において、マグネット部３３の当接面（内面）に対向する面（外面）には、中継基板としての円板状の回路基板３７が重ねるように配置され、これらマグネット部３３、ポールピース３５および回路基板３７が支持板２９に共軸的に固定されている。
【００１８】
すなわち、図２および図３に示すように、支持板２９の凹部３１底部において、マグネット部３３と重なる領域又はこれより僅かに大径領域が、軸方向へその底部の厚み前後の寸法で後方へ突出された固定板３９となっており、この固定板３９の周囲換言すればマグネット部３３の付け根周囲には、複数の通気孔４１が環状に分散するとともに内面と外面を貫通するように形成されている。
【００１９】
そのため、固定板３９は、凹部３１底部において隣合う通気孔４１間で支持連結されるとともにその底部よりさらに突出された形状となっている。
【００２０】
支持板２９に凹部３１、固定板３９および通気孔４１を形成する手法としては、例えば支持板２９に絞り加工して凹部３１を形成し、この底部に複数の通気孔４１を打抜き形成し、その後それら通気孔４１で囲まれた領域を若干打出し加工して固定板３９を形成する等が考えられる。形成順序や加工方法はこれに限定されない。
【００２１】
固定板３９、マグネット部３３、ポールピース３５および回路基板３７には、図３に示すように、ほぼ等径の貫通孔３９ａ、３３ａ、３５ａ、３７ａが共軸的に形成されており、回路基板３７側からこれら回路基板３７、固定板３９、マグネット部３３およびポールピース３５の貫通孔３７ａ、３９ａ、３３ａ、３５ａにハトメ４３（図１では図示せず。）が挿通され、ポールピース３５側でハトメ４３の先端がポールピース３５上にかしめ加工され、回路基板３７、マグネット部３３およびポールピース３５が支持板２９に固定されている。
【００２２】
しかも、回路基板３７は、凹部３１の径方向における通気孔４１の周端とほぼ同じ又は僅かに大径に形成されており、図２に示すように、通気孔４１を塞ぐように重ねられるとともに支持板２９の底部から固定板３９の突出した分だけ通気孔４１との間で僅かなスリット状の間隔Ｓが形成され、支持板２９の前面側と背面側が通気されている。すなわち、回路基板３７は通気孔４１の塞板として機能している。
【００２３】
そのため、支持板２９の底部から固定板３９の突出量や回路基板３７の外径寸法を調節することにより、通気孔４１の実質的な大きさを調節可能となる。
また、支持板２９は、この外周端が多少屈曲されて環状の立上部２９ａとなっており、凹部３１からその立上部２９ａに至るまでの領域が、図３に示すような環状の平坦部２９ｂとなっている。
【００２４】
図１に戻って、支持板２９には、従来公知の例えばポリエステルフィルム（ＰＥＴ）からなる振動膜４５が凹部３１を覆うように配置され、この周縁が立上部２９ａに固定されている。
【００２５】
マグネット部３３やポールピース３５の外周には、例えばポリウレタン被覆導線を筒型に巻いた従来公知の筒型ボイスコイル４７が凹部３１の側壁との間にも間隔を置いて遊挿されており、このボイスコイル４７は一方の端面が振動膜４５に支持されるとともに、このリード線４７ａがハトメ４３の中空部４３ａを介して導出されて回路基板３７に接続され、ダイナミックスピーカ部が形成されている。
【００２６】
支持板２９の回路基板３７側すなわち背面側には、例えばＡＢＳ樹脂から成形加工された背面ケース４９が凹部３１を覆うように被せられている。
【００２７】
背面ケース４９は、支持板２９の回路基板３７を覆って凹部３１にはまるキャップ部４９ａを有するとともに、このキャップ部４９ａから先端にかけて支持板２９の平坦部２９ｂとほぼ等形状の環状のフランジ部４９ｂを有しており（図４Ａ参照）、このフランジ部４９ｂを支持板２９の平坦部２９ｂに当接させ、適宜固定されている。
【００２８】
支持板２９の振動膜４５側すなわち前面側には、例えばＡＢＳ樹脂から成形加工され、若干膨出形状を有し等肉厚で比較的偏平な円板状の前面ケース５１が振動膜４５を覆うように被せられている。
【００２９】
この前面ケース５１は、貫通するように分散形成された多数の小径の音通孔５３を有するとともに、後述するように、使用時に外耳道２５ｅと対面する領域（図中上側）の厚みＴを他の領域の厚みｔよりもスピーカ部の中心軸Ｘ方向に大きく膨出させた膨出部５１ａを有している（図４Ｂ参照）。
【００３０】
図１では符号Ｔはスピーカ部の中心軸Ｘより上側に寄った膨出部５１ａの領域の軸方向厚みを示しており、符号ｔは下側に寄った領域の軸方向の厚みを示しており、膨出部５１ａが前面ケース５１において使用時の上側領域となるように形成されている。
【００３１】
このような本発明のイヤホーンは、図５に示すように、対珠２５ｂ、耳珠２５ｃおよび耳輪２５ｆ間で形成される耳孔介腔２５ｄにはめるようにして使用され、前面ケース５１の上側領域が下側領域より厚く形成されているから、スピーカ軸Ｘが若干上向きとなるように耳孔介腔２５ｄに収まり、斜上方へ延びる外耳道２５ｅの中心軸Ｙに対して中心軸Ｘが僅かな角度のずれ又は一致した状態で対面するように装着される。
【００３２】
本発明のイヤホーンでは、回路基板３７から外部の電子機器と接続するケーブルが必要であるうえ、そのケーブルを背面ケース４９から外部へ導出する部分でそのケーブルを保護するための保護突部を背面ケース４９から一体的に突設するのが一般的である。しかし、本発明の要部ではないので図示および詳細な説明を省略する。
【００３３】
このように本発明のイヤホーンでは、支持板２９の中央部に円柱状の凹部３１を形成し、この凹部３１の底部を若干背面側へ突出させて固定板３９を形成し、マグネット部３３およびポールピース３５を積層した状態で固定板３９に載置するように凹部３１内に固定するとともに固定板３９の対向面側に回路基板３７を固定し、凹部３１の底部にはマグネット部３３の付け根近傍に通気孔４１を形成し、支持板２９には凹部３１の外周に環状の平坦部２９ｂを形成し、凹部３１を覆うように振動膜４５を支持板２９に固定し、支持板２９の回路基板３７側すなわち背面側には、その平坦部と同形状のフランジ部４９ｂを有する背面ケース４９を回路基板３７を覆うように支持板２９の凹部３１に被せるとともにそのフランジ部４９ｂを平坦部２９ｂに当接させ、複数の音通孔５３を有する前面ケース５１を振動膜４５を覆うように支持板２９および背面ケース４９に固定して構成されている。
【００３４】
そのため、背面ケース４９が支持板２９に当接した平坦なフランジ部４９ｂを介してその支持板２９や前面ケース５１に固定されており、背面ケース４９の開放側先端部近傍が湾曲膨出しなくなるから、イヤホーンが耳孔介腔２５ｄ内に収まり易く、従来の背面ケース１５とは異なり背面ケース４９が対珠２５ｂや耳珠２５ｃを不要に圧迫しない。
【００３５】
従って、使用者にとって、背面ケース４９から対珠２５ｂや耳珠２５ｃへの圧迫感や痛みを感じ難くなって耳への装着快適性が確保されるうえ、耳からの脱落も軽減できる。
【００３６】
また、支持板２９の凹部３１底部において、マグネット部３３の付け根近傍に形成された通気孔４１を塞ぐようにかつ僅かなスリット状の間隔Ｓが形成されるように回路基板３７が重ねられ、通気孔４１が回路基板３７で隠されるとともにスリット状の間隔Ｓを小さくできる。
【００３７】
そのため、従来の通気孔２１に比べ、ボイスコイル４７のリード線４７ａを回路基板３５へ半田付けする際に飛散したフラックスや半田屑が通気孔４１を介して振動膜４５に付着し難く、別途、通気性ネット等で通気孔４１を塞ぐ必要はなくなり、構成部品や製造工数の減少からコストダウンを図ることが容易であるうえ、通気孔４１を形成した固定板３９と回路基板３７の２つの部材の組合せによって間隔Ｓを狭く形成することが容易となるとともにその調整も容易であるから、低域の調整を介して周波数特性を改善できる。
【００３８】
ちなみに、図１０に示した従来のイヤホーンでは、通気孔２１をプレス加工で形成するの一般的であるが、その内径は０．５ｍｍ〜１．２ｍｍ、実際には０．７ｍｍ〜１．２ｍｍ程度の比較的大径となり、その内径微調整も難しい。内径が０．５ｍｍ以上の通気孔２１では、その内径を調節しても周波数特性の可変は難しいと考えられている。
【００３９】
これに対して、本発明のように通気孔４１と回路基板３７によるスリット状の間隔Ｓによれば、０．２ｍｍから１ｍｍ程度までその間隔Ｓの微調整が可能であり、低域から高域までその調節が可能となって広い周波数帯域を確保できる。
【００４０】
さらに、前面ケース５１は、使用時に外耳道２５ｅと対面する領域の厚みＴを他の領域の厚みｔよりも中心軸方向に大きく膨出させた膨出部５１ａを有しているから、イヤホーンにおいてマグネット部５、振動膜９およびボイスコイル１１等で形成するスピーカ部の中心軸Ｘが、従来の構成に比べてより斜上方に向き易くなり、一般的に耳孔介腔２５ｄから頭部２７内側へ斜上方（図１２参照）へ延びている外耳道２５ｅに対し、イヤホーンのスピーカ軸Ｘが外耳道２５ｅの中心軸Ｙに揃うか又は従来よりもずれ角度が小さくなり、振動膜４５からの音が外耳道２５ｅに向け中心軸Ｙに沿ってより直接的に伝播され易くなる。
【００４１】
そのため、感度低下、低音・高音域の減衰を小さく抑えて音響的特性を低下させ難く、良好なＨｉ−Ｆｉ特性を確保できる。
【００４２】
上述したイヤホーンとしては、若干膨出形状を有する比較的偏平な円板状の前面ケース５１を用いる構成を説明したが、本発明はこれに限定されない。
【００４３】
例えば、図６に示すように、前面ケース５１の膨出部５１ａにおいて、突出先端に音通孔５５を有する外耳道挿入用の突出部５７を一体的に突出させる構成も可能である。
【００４４】
なお、この突出部５７は、本発明に係るイヤホーンを耳孔介腔２５ｄに装着したとき、一般的な使用者の外耳道２５ｅに違和感なくこれ塞ぐように挿入されるよう、外耳道２５ｅの中心軸Ｙに一致するような向きに、経験的に選定された角度や外径で突出している。
【００４５】
このように、前面ケース５１の膨出部５１ａから突出部５７を突出させる構成では、この突出部５７を設けない図１のような構成に比べ、突出部５７を外耳道２５ｅへ挿入すると、イヤホーンと耳孔介腔２５ｄ又は外耳道２５ｅとの間の空隙が殆どなくなって音洩れが少なくなり、図７に示すように、周波数特性がより一層向上する。
【００４６】
図７において、破線は突出部５７を設けない図１のような構成における周波数特性であり、実線は突出部５７を設けた図６のような構成における周波数特性であり、一点鎖線は従来のイヤホーンの周波数特性を示している。
【００４７】
図７によれば、突出部５７を設けない図１のような構成でも、低音域が多少減衰し易い点を除き、図６のような構成とほぼ同様な周波数特性が得られることが分かるし、従来のイヤホーンでは低音域および高音域ともに減衰していることが分かる。
【００４８】
さらにまた、本発明のイヤホーンでは、上述したように、凹部３１に形成した通気孔４１を回路基板３７を塞板として用いて狭い間隔Ｓを形成する構成に限らず、図８および図９に示す構成も可能である。
【００４９】
すなわち、リング部５９ａと、この内側から軸方向へ延びる筒部５９ｂを一体的に有するリング板５９を用い、筒部５９ｂを円板状の回路基板３７の外周にはめ、通気孔４１に対して僅かな間隔を置いてリング部５９ａを重ねる構成も可能である。なお、図９では図３におけるハトメや挿通孔に相当する図示を省略した。
【００５０】
このように、回路基板３７の外周に塞板としてリング板５９を重ねる構成では、上述した回路基板３７のみを用いる構成とは異なり、回路基板３７に対するリング板５９ははめ込み度合いを調節することが容易となり、支持板２９の立上部２９ａや通気孔４１を形成した後からでも周波数特性を調節可能となるし、同一形状の立上部２９ａや通気孔４１を有する支持板２９から異なる周波数特性を有するイヤホーンが得られる。
【００５１】
もっとも、回路基板３７のみを用いる構成は、ボイスコイル４７からのリード線４７ａを外部へ接続するための回路基板３７が兼用され、部品点数が増加せずに音響的周波数特性の大幅な調節が可能である。
【００５２】
また、上述した構成では、ボイスコイル４７のリード線４７ａをハトメ４３の中空部４３ａを介して回路基板３７側へ導出したが、本発明では少なくとも環状の平坦部２９ｂの内側領域、例えば上述した凹部３１に適当な挿通孔を形成して導出すれば、本発明の目的達成が可能である。
【００５３】
さらに、本発明のイヤホーンにおいて、支持板２９の平坦部２９ｂや背面ケース４９のフランジ部４９ｂは完全に環状、円形又はリング状である必要はなく、Ｃ字状であっても本発明の目的達成が可能である。
【００５４】
さらにまた、上述した本発明では、前面ケース５１においてスピーカ部の中心軸Ｘから上方へ寄った領域を膨出部５１ａとする構成であったが、イヤホーンの全体形状によっては下側や左右へ寄った領域を膨出部とする構成も可能であり、スピーカ部の中心軸から一方の端に寄った領域を他の領域よりも中心軸方向に膨出させた膨出部を設ければ本発明の目的達成が可能である。
【００５５】
なお、本発明のイヤホーンの実施に当っては、背面ケース４９、支持板２９および前面ケース５１は、これらを直接的又は間に別部材を介在させて間接的に固定する構成でも可能であり、支持板２９についても必ずしも収納用の凹部３１は必要なく、フラットな支持板に片面にスピーカ部を形成し、対向面に回路基板３７等を配置する構成など可能である。
【００５６】
【発明の効果】
以上説明したように本発明は、イヤホーンのスピーカ部を形成するマグネット部と、このマグネット部を片面側に支持しこの周囲に形成された環状の平坦部を有する支持板と、ボイスコイルを有し、マグネット部の前面側にこれと間隔を置いてこれを覆うように支持板に支持されスピーカ部を形成する振動膜と、貫通する複数の音通孔を有し振動膜を覆うように支持板に被せられたキャップ部を有する前面ケースと、振動膜の配置されない側を背面側として支持板に被せられたカップ状の背面ケースとを具備し、背面ケースは、キャップ部から先端にかけてその支持板の平坦部とほぼ等形状でその平坦部に当接する環状のフランジ部を有し、このフランジ部を介して前面ケースに直接又は間接的に連結されているから、耳への装着快適性を改善できるとともに耳からの脱落を軽減できる。
そして、マグネット部の付根にて支持板に通気孔が貫通形成され、支持板の背面側に塞板が配置され、この塞板が僅かな間隔を置いて通気孔に重ねられた構成では、良好な音響的特性を確保しつつ、製造工数の低減およびコストダウンを図ることが可能となる。
また、その塞板として回路基板を用いる構成は、ボイスコイルからのリード線を外部へ接続するための回路基板の兼用が可能となり、部品点数や製造工数を増加せずに良好な音響的周波数特性の維持や調節が可能である。
また、前面ケースにおいて、スピーカ部の中心軸から一方の端に寄った領域を他の領域よりも中心軸方向に膨出させた膨出部を設ける構成では、耳へ装着したとき良好な音響的感度や広い周波数特性の確保が可能となる。
さらにまた、前面ケースの膨出部にあってより膨出させた領域において、突出先端に音通孔を有する外耳道挿入用の突出部を突出させる構成では、一層良好な音響的感度や広い周波数特性の確保が可能となる。
【図面の簡単な説明】
【図１】本発明に係るイヤホーンの実施の形態を示す断面図である。
【図２】図１中の支持板およびマグネット部近傍を断面で示す要部断面図である。
【図３】図１中の支持板およびマグネット部近傍を分解して示す分解斜視図である。
【図４】図１中の背面ケースおよび前面ケースを示す斜視図である。
【図５】図１に係るイヤホーンの使用例を示す断面図である。
【図６】本発明に係るイヤホーンの他の形態を使用例とともに示す断面図である。
【図７】本発明および従来のイヤホーンが示す周波数特性図である。
【図８】本発明のイヤホーンにおける他の構成として、回路基板とこれに固定するリング部を示す要部分解斜視図である。
【図９】本発明のイヤホーンにおいて、図８のリング部を用いた支持板およびマグネット部近傍を示す要部断面図である。
【図１０】従来のイヤホーンを示す断面図である。
【図１１】人の耳の構造を概略的に示す斜視図である。
【図１２】従来のイヤホーンの使用例を示す断面図である。
【符号の説明】
１、２９  支持板
１ａ、２９ａ  立上部
１ｂ、２９ｂ  平坦部
３、３１  凹部
５、３３  マグネット部
７、３５  ポールピース
９、４５  振動膜
１１、４７  ボイスコイル
１１ａ、４７ａ  リード線
１３  回路基板
１５、４９  背面ケース
１７、５３、５５  音通孔
１９、５１  前面ケース
２１、４１  通気孔
２３  接着剤
２５  耳
２５ａ  対輪
２５ｂ  対珠
２５ｃ  耳珠
２５ｄ  耳孔介腔
２５ｅ  外耳道
２５ｆ  耳輪
２７  頭部
３３ａ、３５ａ、３７ａ、３９ａ  貫通孔
３７  回路基板（塞板）
３９  固定板
４３  ハトメ
４３ａ  中空部
４９ａ  キャップ部
４９ｂ  フランジ部
５１ａ  膨出部
５７  突出部
５９  リング板（塞板）
５９ａ  リング部
５９ｂ  筒部
【図１】
0003801808.tif 000002
【図２】
0003801808.tif 000003
【図３】
0003801808.tif 000004
【図４】
0003801808.tif 000005
【図５】
0003801808.tif 000006
【図６】
0003801808.tif 000007
【図７】
0003801808.tif 000008
【図８】
0003801808.tif 000009
【図９】
0003801808.tif 000010
【図１０】
0003801808.tif 000011
【図１１】
0003801808.tif 000012
【図１２】
0003801808.tif 000013